(57)【要約】【課題】記録型光ディスクの記録エリアと未記録エリアの判定を常に正確に行う。【解決手段】オントラック信号のＨＬ比率を用いた最適化が有効範囲内で完了するかどうかを確認し、有効範囲内で最適化が完了した場合は、ピックアップが記録エリアに存在すると判定して最適化を完了し、有効範囲内で最適化が完了しない場合は、未記録エリアに存在すると判定して最適化が正しく行われなかったとしてピックアップを移動させて再度オントラック信号の最適化を行う。したがって、記録エリア内でオントラック信号生成の基準値の調整を正確に行うことができるので、記録型光ディスクの記録エリアと未記録エリアの判定を常に正確に行うことができる。【選択図】  図１
2005302096.tif 000002
【特許請求の範囲】
【請求項１】
情報が記録されたトラックを有する記録エリアと情報が記録されていないトラックを有する未記録エリアとが連続して存在する光ディスクに対し、前記記録エリアを判別して、該記録エリアに記録された情報を再生するディスク再生装置であって、
記録エリア内の情報を検知することで得られる検知信号のハイレベルとローレベルの比率を測定する検知信号生成比率測定手段と、
測定された前記検知信号のハイレベルとローレベルの比率を用いて検知信号生成の最適化を行う最適化手段と、
前記検知信号生成の最適化後、ピックアップの位置を変更し、位置変更後の検知信号のハイレベルとローレベルの比率を測定させ、さらに測定された前記検知信号を用いた検知信号生成の最適化が正常に行われた場合には前記ピックアップが記録エリアに存在すると判定し、前記検知信号生成の最適化が正常に行われなかった場合には前記ピックアップが未記録エリアに存在すると判定する制御・判定手段と、
を備えるディスク再生装置。
【請求項２】
前記制御・判別手段は、前記検知信号生成の最適化が正常に行われなかった場合、前記ピックアップの位置を変更して再度前記検知信号生成の最適化を行わせる請求項１に記載のディスク再生装置。
【請求項３】
前記制御・判別手段は、前記検知信号生成の最適化後の検知信号を用いて、該検知信号の生成比率の測定結果より記録エリアの判別を行う請求項１又は請求項２のいずれかに記載のディスク再生装置。
【請求項４】
検知信号生成比率測定手段は、前記検知信号として、記録エリアで生成されるオントラック信号を用いる請求項１から請求項３のいずれかに記載のディスク再生装置。
【請求項５】
情報が記録されたトラックを有する記録エリアと情報が記録されていないトラックを有する未記録エリアとが連続して存在する光ディスクに対し、前記記録エリアを判別して、該記録エリアに記録された情報を再生するディスク再生方法であって、
記録エリア内の情報を検知することで得られる検知信号のハイレベルとローレベルの比率を測定する検知信号生成比率測定工程と、
測定された前記検知信号のハイレベルとローレベルの比率を用いて検知信号生成の最適化を行う最適化工程と、
前記検知信号生成の最適化後、ピックアップの位置を変更し、位置変更後の検知信号のハイレベルとローレベルの比率を測定させ、さらに測定された前記検知信号を用いた検知信号生成の最適化が正常に行われた場合には前記ピックアップが記録エリアに存在すると判定し、前記検知信号生成の最適化が正常に行われなかった場合には前記ピックアップが未記録エリアに存在すると判定する制御・判定工程と、
を備えるディスク再生方法。
【請求項６】
情報が記録されたトラックを有する記録エリアと情報が記録されていないトラックを有する未記録エリアとが連続して存在する光ディスクに対し、前記記録エリアを判別して、該記録エリアに記録された情報を再生するディスク再生プログラムであって、コンピュータに、
記録エリア内の情報を検知することで得られる検知信号のハイレベルとローレベルの比率を測定する検知信号生成比率測定手順と、
測定された前記検知信号のハイレベルとローレベルの比率を用いて検知信号生成の最適化を行う最適化手順と、
前記検知信号生成の最適化後、ピックアップの位置を変更し、位置変更後の検知信号のハイレベルとローレベルの比率を測定させ、さらに測定された前記検知信号を用いた検知信号生成の最適化が正常に行われた場合には前記ピックアップが記録エリアに存在すると判定し、前記検知信号生成の最適化が正常に行われなかった場合には前記ピックアップが未記録エリアに存在すると判定する制御・判定手順と、
を実行させるディスク再生プログラム。
【発明の詳細な説明】
【技術分野】
【０００１】
本発明は、データ記録型ＤＶＤ(Digital Versatile Disk)やＭＯ(Magneto Optical disk)など光ディスクを再生するディスク再生装置及びディスク再生方法に関する。
【背景技術】
【０００２】
従来、データ記録が可能な光ディスクを再生する際に、記録エリアからの情報に基づいて記録エリアと未記録エリアとの判別を行うようにしている。以下、記録エリアと未記録エリアとを判別する処理について説明する。
【０００３】
図２は、従来のディスク再生装置のサーボ制御系の概略構成を示すブロック図である。図２において、ピックアップ３０２から光ディスク３０１にレーザビームが照射され、このレーザ照射により生じた反射光がピックアップ３０２に入射する。ピックアップ３０２は、入射された反射光を電気信号に変換して信号生成回路３０３に入力する。信号生成回路３０３は、ピックアップ３０２からの電気信号を増幅するＲＦアンプ（図示略）やマイコン（図示略）等から構成され、ピックアップ３０２から入力された電気信号を元にＲＦ信号、フォーカスエラー信号、トラッキングエラー信号、オントラック信号を生成する。
【０００４】
フォーカス制御回路３０４は、信号生成回路３０３で生成されたフォーカスエラー信号よりフォーカスサーボ処理を行い、光ピックアップ３０２内の図示せぬフォーカスアクチュエータを制御してフォーカス制御を行う。トラッキング制御回路３０５が、信号生成回路３０３で生成されたトラッキングエラー信号よりトラッキングサーボ処理を行い、光ピックアップ３０２内の図示せぬトラッキングアクチュエータを制御してトラッキング制御を行う。
【０００５】
信号生成回路３０３は、オントラック信号生成に使用する基準値を変動させて、最適なオントラック信号が生成できるように最適化を行う。最適化方法としては、オントラック信号のハイレベルとローレベルとの比率を参照するものが提案されている（例えば、特許文献１参照）。
【０００６】
オントラック信号を用いることで光ディスク上の記録エリアと未記録エリアの判別が可能である。以下、図３のフローチャートを参照して、オントラック信号に基づく記録エリアと未記録エリアの判別処理について説明する。
【０００７】
まずフォーカスサーボとトラッキングサーボを共にオフの状態にする（Ｓ１０１）。フォーカスサーボとトラッキングサーボを共にオフの状態にした後、オントラック信号の発生回数を測定し（Ｓ１０２）、その発生回数が一定回数以上かどうか判定する（Ｓ１０３）。オントラック信号の発生回数が一定回数以上である場合（Ｓ１０３のＹＥＳ）は記録エリアであると判定し、一定回数未満である場合（Ｓ１０３のＮＯ）は未記録エリアであると判定する。
【０００８】
未記録エリアであると判定した場合は、ピックアップ３０２の位置を変更するためにピック移動範囲の確認を行う（Ｓ１０４）。ピック移動範囲内である場合（Ｓ１０４のＹＥＳ）、ピックアップ３０２の位置を変更し（Ｓ１０５）、その後Ｓ１０２に戻り、再度発生回数の確認を行い、記録エリアを探索する。これに対してピック移動範囲外である場合（Ｓ１０４のＮＯ）は、記録エリアが存在しないということで、再生不可ディスクと判定し終了する（Ｓ１０６）。
【０００９】
【特許文献１】特開２００１−２４３６３８号公報
【発明の開示】
【発明が解決しようとする課題】
【００１０】
しかしながら、従来のディスク再生装置においては、オントラック信号が記録エリア内で最適化されていない場合は、記録エリアにおいてオントラック信号が生成されない、もしくは未記録エリアにおいてオントラック信号が生成されてしまうといった誤ったオントラック信号が生成されてしまい、光ディスクの記録エリアと未記録エリアの判定を正確に行えない場合があるという問題がある。
【００１１】
本発明は、光ディスクの記録エリアと未記録エリアの判定を常に正確に行うことができるディスク再生装置及びディスク再生方法を提供することを目的とする。
【課題を解決するための手段】
【００１２】
上記目的は下記構成又は方法により達成される。
（１）  情報が記録されたトラックを有する記録エリアと情報が記録されていないトラックを有する未記録エリアとが連続して存在する光ディスクに対し、前記記録エリアを判別して、該記録エリアに記録された情報を再生するディスク再生装置であって、記録エリア内の情報を検知することで得られる検知信号のハイレベルとローレベルの比率を測定する検知信号生成比率測定手段と、測定された前記検知信号のハイレベルとローレベルの比率を用いて検知信号生成の最適化を行う最適化手段と、前記検知信号生成の最適化後、ピックアップの位置を変更し、位置変更後の検知信号のハイレベルとローレベルの比率を測定させ、さらに測定された前記検知信号を用いた検知信号生成の最適化が正常に行われた場合には前記ピックアップが記録エリアに存在すると判定し、前記検知信号生成の最適化が正常に行われなかった場合には前記ピックアップが未記録エリアに存在すると判定する制御・判定手段と備える。
【００１３】
（２）  上記（１）に記載のディスク再生装置において、前記制御・判別手段は、前記検知信号生成の最適化が正常に行われなかった場合、前記ピックアップの位置を変更して再度前記検知信号生成の最適化を行わせる。
【００１４】
（３）  上記（１）又は（２）のいずれかに記載のディスク再生装置において、前記制御・判別手段は、前記検知信号生成の最適化後の検知信号を用いて、該検知信号の生成比率の測定結果より記録エリアの判別を行う。
【００１５】
（４）  上記（１）から（３）のいずれかに記載のディスク再生装置において、検知信号生成比率測定手段は、前記検知信号として、記録エリアで生成されるオントラック信号を用いる。
【００１６】
（５）  情報が記録されたトラックを有する記録エリアと情報が記録されていないトラックを有する未記録エリアとが連続して存在する光ディスクに対し、前記記録エリアを判別して、該記録エリアに記録された情報を再生するディスク再生方法であって、記録エリア内の情報を検知することで得られる検知信号のハイレベルとローレベルの比率を測定する検知信号生成比率測定工程と、測定された前記検知信号のハイレベルとローレベルの比率を用いて検知信号生成の最適化を行う最適化工程と、前記検知信号生成の最適化後、ピックアップの位置を変更し、位置変更後の検知信号のハイレベルとローレベルの比率を測定させ、さらに測定された前記検知信号を用いた検知信号生成の最適化が正常に行われた場合には前記ピックアップが記録エリアに存在すると判定し、前記検知信号生成の最適化が正常に行われなかった場合には前記ピックアップが未記録エリアに存在すると判定する制御・判定工程とを備える。
【００１７】
（６）情報が記録されたトラックを有する記録エリアと情報が記録されていないトラックを有する未記録エリアとが連続して存在する光ディスクに対し、前記記録エリアを判別して、該記録エリアに記録された情報を再生するディスク再生プログラムであって、記録エリア内の情報を検知することで得られる検知信号のハイレベルとローレベルの比率を測定する検知信号生成比率測定手順と、測定された前記検知信号のハイレベルとローレベルの比率を用いて検知信号生成の最適化を行う最適化手順と、前記検知信号生成の最適化後、ピックアップの位置を変更し、位置変更後の検知信号のハイレベルとローレベルの比率を測定させ、さらに測定された前記検知信号を用いた検知信号生成の最適化が正常に行われた場合には前記ピックアップが記録エリアに存在すると判定し、前記検知信号生成の最適化が正常に行われなかった場合には前記ピックアップが未記録エリアに存在すると判定する制御・判定手順とをコンピュータに実行させる。
【発明の効果】
【００１８】
上記（１）に記載のディスク再生装置では、記録エリアで得られる検知信号のハイレベルとローレベルの比率を用いて検知信号生成の最適化を行い、さらにその検知信号生成最適化時のピックアップ位置が記録エリアと未記録エリアの境界に存在していた場合を想定して誤った最適化をしてしまわないように、検知信号生成の最適化を行った後、ピックアップを移動させて再度検知信号のハイレベルとローレベルとの比率を測定し、検知信号生成の最適化の正当性を判断する。したがって、正当な検知信号を生成することができるので、光ディスクの記録エリアと未記録エリアの判定を常に正確に行うことが可能となる。また、最適化実行時に記録エリアと未記録エリアの判定を行うので、判定処理の高速化が図れる。
【００１９】
上記（２）に記載のディスク再生装置では、検知信号生成の最適化が正当でなければ、最適化完了判断時もしくは再測定時のピックアップ位置が記録エリア内に収まっていないと判断し、ピックアップの位置を変更して再度検知信号の最適化を行うので、正当な検知信号を生成できる自由度を高めることができる。
【００２０】
上記（３）に記載のディスク再生装置では、検知信号生成の最適化後の検知信号を用いて、該検知信号のハイレベルとローレベルの生成比率の測定結果より記録エリアの判別を行うので、記録エリアと未記録エリアの判定を正確に行うことができる。
【００２１】
上記（４）に記載のディスク再生装置では、検知信号として、記録エリアで生成されるオントラック信号を用いるので、このオントラック信号のハイレベルとローレベルとの生成比率の測定結果より記録エリアと未記録エリアの判定を正確に行うことができる。
【００２２】
上記（５）に記載のディスク再生方法では、記録エリアで得られる検知信号のハイレベルとローレベルの比率を用いて検知信号生成の最適化を行い、さらにその検知信号生成最適化時のピックアップ位置が記録エリアと未記録エリアの境界に存在していた場合を想定して、誤った最適化をしてしまわないように、検知信号生成の最適化を行った後、ピックアップを移動させて再度検知信号のハイレベルとローレベルとの比率を測定し、検知信号生成の最適化の正当性を判断する。したがって、正当な検知信号を生成することができるので、光ディスクの記録エリアと未記録エリアの判定を常に正確に行うことが可能となる。また、最適化実行時に記録エリアと未記録エリアの判定を行うので、判定処理の高速化が図れる。
【００２３】
上記（６）に記載のディスク再生プログラムでは、記録エリアで得られる検知信号のハイレベルとローレベルの比率を用いて検知信号生成の最適化を行い、さらにその検知信号生成最適化時のピックアップ位置が記録エリアと未記録エリアの境界に存在していた場合を想定して、誤った最適化をしてしまわないように、検知信号生成の最適化を行った後、ピックアップを移動させて再度検知信号のハイレベルとローレベルとの比率を測定し、検知信号生成の最適化の正当性を判断する。したがって、正当な検知信号を生成することができるので、光ディスクの記録エリアと未記録エリアの判定を常に正確に行うことが可能となる。また、最適化実行時に記録エリアと未記録エリアの判定を行うので、判定処理の高速化が図れる。
【発明を実施するための最良の形態】
【００２４】
以下、本発明を実施するための好適な実施の形態について、図面を参照して詳細に説明する。本実施の形態に係るディスク再生装置は、オントラック信号の最適化処理が前述した図２に示す従来のディスク再生装置と異なるが、装置自体の構成については同一であるので、図２を援用することとする。
【００２５】
オントラック信号の最適化処理は信号生成回路３０３のマイコンにて行われる。以下、図１に示すフローチャートを参照してオントラック信号生成の最適化処理について説明する。なお、信号生成回路３０３のマイコンは、検知信号生成比率測定手段、最適化手段、制御・判定手段に対応する。
【００２６】
図１において、まずフォーカスサーボとトラッキングサーボを共にオフの状態にする（Ｓ２０１）。フォーカスサーボとトラッキングサーボを共にオフ状態にした後、オントラック信号（検知信号に対応する）のハイレベルとローレベルの比率（以下、ＨＬ比率）を測定する（Ｓ２０２）。オントラック信号のＨＬ比率を測定した後、そのＨＬ比率が一定目標以内かどうかを判定する（Ｓ２０３）。オントラック信号のＨＬ比率が一定目標以内である場合（Ｓ２０３のＹＥＳ）、オントラック信号最適化の元となる基準値の調整を終了し、正当性確認処理へ移行する。
【００２７】
これに対して、オントラック信号のＨＬ比率が一定目標以内でない場合（Ｓ２０３のＮｏ）は、オントラック信号生成の基準値が有効変更範囲内であるかどうか判定する（Ｓ２０４）。オントラック信号生成の基準値が有効変更範囲内である場合（Ｓ２０４のＹＥＳ）は、該基準値を変更し（Ｓ２０５）、Ｓ２０２に戻って再度オントラック信号のＨＬ比率の測定を行う（Ｓ２０２）。
【００２８】
これに対して、Ｓ２０４の判定においてオントラック信号生成の基準値が有効変更範囲内ではない場合（Ｓ２０４のＮＯ）は、現在のピックアップ３０２の位置が記録エリアに存在しないと判断して、記録エリアを探すためにピックアップ３０２の位置を変更する。この際、ピックアップ３０２を移動できるかどうか判定し（Ｓ２０６）、ピックアップ移動範囲内であれば（Ｓ２０６のＹＥＳ）、移動先に記録エリアがある可能性が高いことからピックアップ３０２の位置を変更する（Ｓ２０７）。ピックアップ３０２の位置を変更した後、Ｓ２０２に戻って最適化をやり直す（Ｓ２０２）。これに対してピックアップ移動範囲内でなければ（Ｓ２０６のＮＯ）、記録エリアが無いディスクと判断し、再生不可ディスクとして基準値の調整を完了する（Ｓ２０８）。
【００２９】
ピックアップ移動範囲内で基準値を変更してオントラック信号のＨＬ比率が一定目標以内に入ってＳ２０９に移行すると、ピックアップ３０２の位置を変更し（Ｓ２０９）、再度ＨＬ比率測定を行う（Ｓ２１０）。すなわち、記録エリアと未記録エリアの境界で変更を行ってしまい、最適な変更が行われていない可能性があるので、基準値変更の正当性を確認するためにピックアップ３０２の位置を変更し、変更後のオントラック信号生成の基準値を用いてオントラック信号のＨＬ比率を測定する。
【００３０】
そして、測定したＨＬ比率が一定目標以内かどうかを判定し（Ｓ２１１）、該ＨＬ比率が一定目標以内である場合（Ｓ２１１のＹＥＳ）は、記録エリア内で基準値が変更されたと判断して基準値変更処理を終了する。これに対して、該ＨＬ比率の測定結果が一定目標以内でない場合（Ｓ２１１のＮＯ）は、記録エリア内で基準値の変更が行われなかった可能性があるとして、変更終了後の基準値を破棄し、基準値変更をやり直す（Ｓ２０２）。
【００３１】
オントラック信号生成の基準値の最適化が行われた後、オントラック信号で行ったと同様に、オントラック信号以外の記録エリアで行うべき制御信号に対する最適化を行い、それが完了すると記録エリアの検出を行い、記録エリアでなければ記録エリアの検出を用いてピックアップ３０２の位置を変更し、再度、制御信号の最適化を行う。一方、未記録エリアで行うべき制御信号があれば、同様に記録エリアの検出を用いてピックアップ３０２の位置を変更し、制御信号の最適化を行う。
【００３２】
このように、本実施の形態のディスク再生装置によれば、オントラック信号のＨＬ比率を用いた最適化が有効範囲内で完了するかどうかを確認し、有効範囲内で最適化が完了した場合は記録エリアに存在すると判定して最適化を完了し、有効範囲内で最適化が完了しない場合は未記録エリアに存在すると判定して最適化が正しく行われなかったとしてピックアップ３０２を移動させて再度オントラック信号の最適化を行う。
【００３３】
したがって、オントラック信号生成の最適化後の正当なオントラック信号を用いて、この信号のＨＬ比率の測定結果より記録エリアの判別を行うので、記録エリアと未記録エリアの判定を常に正確に行うことができる。また、最適化実行時に記録エリアと未記録エリアの判定を行うので、判定処理の高速化が図れる。さらに、その正確な記録エリア及び未記録エリアの検出結果により、オントラック信号以外の制御信号の最適化も正確に行うことができる。
【産業上の利用可能性】
【００３４】
本発明のディスク再生装置及びディスク再生方法は、正当な検知信号を生成することができるので、光ディスクの記録エリアと未記録エリアの判定を常に正確に行うことが可能となるという効果、また、最適化実行時に記録エリアと未記録エリアの判定を行うので、判定処理の高速化が図れるという効果を有し、データ記録型ＤＶＤやＭＯなど光ディスクを再生するディスク再生装置及びディスク再生方法等として有用である。
【図面の簡単な説明】
【００３５】
【図１】本発明の実施の形態に係るディスク再生装置におけるオントラック信号基準値最適化処理を示すフローチャート
【図２】従来のディスク再生装置の概略構成を示すブロック図
【図３】従来のディスク再生装置におけるオントラック信号を用いた記録部検出処理を示すフローチャート
【符号の説明】
【００３６】
３０１  光ディスク
３０２  ピックアップ
３０３  信号生成回路
３０４  フォーカス制御回路
３０５  トラッキング制御回路
【図１】
2005302096.tif 000003
【図２】
2005302096.tif 000004
【図３】
2005302096.tif 000005